(57)【要約】【課題】接続履歴からＭＴ位置管理テーブル（ＭＬＴ）を作成し、かつＤＴＮ環境でこのＭＬＴを固定局（ＳＴ）−移動端末間（ＭＴ）で交換する。【解決手段】固定局と移動端末は、優先度の高い固定局をｎ個記述した位置レコードを移動端末毎に持つＭＴ位置管理テーブルを有している。移動端末が、過去Ｎ回の接続から、優先度の高い固定局をｎ個選択して、自身の位置レコードを作成する。移動端末が固定局に接続したとき、移動端末が自身のＭＴ位置管理テーブルを固定局に送信し、固定局が該ＭＴ位置管理テーブルと自身のＭＴ位置管理テーブルとを比較することにより、自身のＭＴ位置管理テーブルを更新する、および移動端末に送信する必要のある位置レコードを判定する。固定局が判定された位置レコードを移動端末に送信し、移動端末が位置レコードにより、自身のＭＴ位置管理テーブルを更新する。【選択図】図１
2009055511.tif 000002
【特許請求の範囲】
【請求項１】
固定局と通信する移動端末を媒体としてデータを転送するネットワークにおける移動端末位置管理方法において、
前記固定局と前記移動端末は、優先度の高い固定局をｎ個（ｎは正の整数）記述した位置レコードを移動端末毎に持つＭＴ位置管理テーブルを有しており、
前記移動端末が、過去Ｎ回（Ｎは正の整数）の接続から、優先度の高い固定局をｎ個選択して、自身の位置レコードを作成する第１のステップと、
前記移動端末が前記固定局に接続したとき、前記移動端末が自身のＭＴ位置管理テーブルを前記固定局に送信し、前記固定局が該ＭＴ位置管理テーブルと自身のＭＴ位置管理テーブルとを比較することにより、自身のＭＴ位置管理テーブルを更新する、および前記移動端末に送信する必要のある位置レコードを判定する第２のステップと、
前記固定局が前記判定された位置レコードを前記移動端末に送信し、前記移動端末が該位置レコードにより、自身のＭＴ位置管理テーブルを更新する第３のステップと、
を有することを特徴とする移動端末位置管理方法。
【請求項２】
前記ＭＴ位置管理テーブルの位置レコードは、更新時間が設定されていることを特徴とする請求項１に記載の移動端末位置管理方法。
【請求項３】
前記更新時間は、前記第１のステップで前記位置レコードが作成されたときの時間であることを特徴とする請求項２に記載の移動端末位置管理方法。
【請求項４】
前記ＭＴ位置管理テーブルの位置レコードは、生存時間が設定されており、前記移動端末は、該生存時間を超え、かつ自身の位置レコードでない位置レコードを削除する第４のステップをさらに有していることを特徴とする請求項１から３のいずれか１項に記載の移動端末位置管理方法。
【請求項５】
前記第２のステップで前記固定局のＭＴ位置管理テーブルの位置レコードが、前記移動端末のＭＴ位置管理テーブルの位置レコードによって更新される場合、前記固定局の位置レコードの生存時間が一定時間延長されることを特徴とする請求項４に記載の方法。
【請求項６】
移動端末を媒体としてデータを転送するネットワークにおける固定局において、
優先度の高い固定局をｎ個（ｎは正の整数）記述した位置レコードを移動端末毎に持つＭＴ位置管理テーブルを蓄積するＭＴ位置管理テーブル蓄積手段と、
前記ＭＴ位置管理テーブルから、接続された移動端末に送信する必要のある位置レコードを判定するデータ送信判定手段と、
前記移動端末へ前記位置レコードを含むデータを送信する、または、前記移動端末からデータを受信するデータ送受信手段と、
前記移動端末からＭＴ位置管理テーブルを受信するＭＴ位置管理テーブル受信手段と、
前記移動端末から受信したＭＴ位置管理テーブルにより、自身のＭＴ位置管理テーブルを更新する更新処理手段と、
を有することを特徴とする固定局。
【請求項７】
前記ＭＴ位置管理テーブルの更新時間並びに生存時間を設定する、および該生存時間を延長する生存時間管理手段をさらに有することを特徴とする請求項６に記載の固定局。
【請求項８】
請求項６または７に記載の固定局と通信する移動端末であって、
優先度の高い固定局をｎ個（ｎは正の整数）記述した位置レコードを移動端末毎に持つＭＴ位置管理テーブルを蓄積するＭＴ位置管理テーブル蓄積手段と、
前記移動端末が前記固定局に接続する毎に更新する接続履歴を蓄積する接続履歴蓄積手段と、
前記接続履歴から、優先度の高い固定局をｎ個（ｎは正の整数）選択して、自身の位置レコード作成する、および前記固定局から送信される位置レコードにより前記ＭＴ位置管理テーブルを更新するＭＴ位置管理テーブル生成更新手段と、
前記移動端末が前記固定局に接続した際に、前記固定局へ前記ＭＴ位置管理テーブルを送信するＭＴ位置管理テーブル送信手段と、
を有することを特徴とする移動端末。
【請求項９】
前記ＭＴ位置管理テーブル生成更新手段は、生存時間を超え、かつ自身の位置レコードでない位置レコードを削除する機能をさらに有することを特徴とする請求項８に記載の移動端末。
【請求項１０】
前記固定局におけるプログラムとして、
請求項６または７に記載の手段により固定局を機能させることを特徴とするプログラム。
【請求項１１】
前記移動端末におけるプログラムとして、
請求項８または９に記載の手段により移動端末を機能させることを特徴とするプログラム。
【発明の詳細な説明】
【技術分野】
【０００１】
本発明は、移動端末を媒体としてデータを転送するネットワークにおける移動端末位置管理方法、中継移動端末、中継固定局及びプログラムに関する。
【背景技術】
【０００２】
既存のＩＰネットワークにおけるデータ伝送は、送信元（Source）から宛先（Destination）までのEnd-to-Endにて実時間内で応答可能な通信経路が確立できないと通信を行えない。
【０００３】
このような環境下でも中継ノードが一時的にストレージにデータを保持し（Store）、他ノードとの接続が確立できたタイミングでデータ転送（Forwarding）を行うStore-and-Forward方式によって、最終的に送信元から宛先までデータ転送を実現するDelay
Tolerant Network（ＤＴＮ）技術がある。
【０００４】
このＤＴＮ技術の応用として、固定局（以下ＳＴ）間のデータ転送において、移動端末（以下ＭＴ）のストレージとその物理移動を利用する方式がある。さらに本方式ではＭＴとＳＴとの接続履歴を利用して、ＳＴからＭＴへコピーするデータを選択することで、ＭＴのストレージへの不要なコピーを制限している。
【０００５】
また、非特許文献１では、上記方法の拡張として、ＤＴＮ環境下でもデータの送信先を地理的に解決するために、接続履歴によるＭＴの位置管理方式を提案している。本方式ではＳＴがＭＴとの接続履歴からＭＴ位置管理テーブル（以下、ＭＬＴ：MT Location management Table）を作成し、これをＭＴによって周辺のＳＴへ配信することで、ＳＴ間で同テーブルを共有し、メッセージの宛先移動端末からそれに対応する宛先固定局を解決している。
【０００６】
特許文献１では中央センター−クライアント等の２つ以上のシステムがネットワークで接続された環境でのデータ同期において、データをレコードに分割して、更新されたレコードのみを送信することで送信量を減らす方式を記述したものである。
【０００７】
【特許文献１】特開昭５９−９４１５５号公報
【非特許文献１】“端末の物理移動を利用した非常時メッセージ交換方式の提案”南川, 森川, 太田, 西山, Dicomo 2006 シンポジウム論文集1巻 pp249--252
【発明の開示】
【発明が解決しようとする課題】
【０００８】
しかしながら、非特許文献１で提案したＭＬＴの配信では、接続履歴からＭＬＴを作成する手順を具体的に指定していないという課題がある。さらに、接続履歴をそのままＭＬＴとして使用すると、ＭＴとＳＴが接続する度にＭＬＴが更新されることになり、ＳＴ間で同テーブルの同期をとるために、移動端末は（自身を含めた）各移動端末のＭＴ位置管理テーブルを常時保持したままとなる。これによりＭＴの限られたストレージが占有されるという課題もある。
【０００９】
また、特許文献１では、実時間での双方向通信が可能なシステムでのデータ交換を前提としており、特許文献１の送信量を減らす方式は、End-to-Endでの実時間送受信確認が困難なＤＴＮ環境でのデータ交換では利用できない。
【００１０】
したがって、本発明は、接続履歴から非特許文献１で使用されるＭＬＴを作成し、かつＤＴＮ環境で、このＭＬＴをＭＴ−ＳＴ間で交換することが可能な移動端末位置管理方法、中継移動端末、中継固定局及びプログラムを提供することを目的とする。
【課題を解決するための手段】
【００１１】
上記目的を実現するため本発明による方法は、固定局と通信する移動端末を媒体としてデータを転送するネットワークにおける移動端末位置管理方法において、前記固定局と前記移動端末は、優先度の高い固定局をｎ個（ｎは正の整数）記述した位置レコードを移動端末毎に持つＭＴ位置管理テーブルを有しており、前記移動端末が、過去Ｎ回（Ｎは正の整数）の接続から、優先度の高い固定局をｎ個選択して、自身の位置レコードを作成する第１のステップと、前記移動端末が前記固定局に接続したとき、前記移動端末が自身のＭＴ位置管理テーブルを前記固定局に送信し、前記固定局が該ＭＴ位置管理テーブルと自身のＭＴ位置管理テーブルとを比較することにより、自身のＭＴ位置管理テーブルを更新する、および前記移動端末に送信する必要のある位置レコードを判定する第２のステップと、前記固定局が前記判定された位置レコードを前記移動端末に送信し、前記移動端末が該位置レコードにより、自身のＭＴ位置管理テーブルを更新する第３のステップと、を有する。
【００１２】
また、前記ＭＴ位置管理テーブルの位置レコードは、更新時間が設定されていることも好ましい。
【００１３】
また、前記更新時間は、前記第１のステップで前記位置レコードが作成されたときの時間であることも好ましい。
【００１４】
また、前記ＭＴ位置管理テーブルの位置レコードは、生存時間が設定されており、前記移動端末は、該生存時間を超え、かつ自身の位置レコードでない位置レコードを削除する第４のステップをさらに有していることも好ましい。
【００１５】
また、前記第２のステップで前記固定局のＭＴ位置管理テーブルの位置レコードが、前記移動端末のＭＴ位置管理テーブルの位置レコードによって更新される場合、前記固定局の位置レコードの生存時間が一定時間延長されることも好ましい。
【００１６】
上記目的を実現するため本発明による固定局は、移動端末を媒体としてデータを転送するネットワークにおける固定局において、優先度の高い固定局をｎ個（ｎは正の整数）記述した位置レコードを移動端末毎に持つＭＴ位置管理テーブルを蓄積するＭＴ位置管理テーブル蓄積手段と、前記ＭＴ位置管理テーブルから、接続された移動端末に送信する必要のある位置レコードを判定するデータ送信判定手段と、前記移動端末へ前記位置レコードを含むデータを送信する、または、前記移動端末からデータを受信するデータ送受信手段と、前記移動端末からＭＴ位置管理テーブルを受信するＭＴ位置管理テーブル受信手段と、前記移動端末から受信したＭＴ位置管理テーブルにより、自身のＭＴ位置管理テーブルを更新する更新処理手段とを有する。
【００１７】
また、前記ＭＴ位置管理テーブルの更新時間並びに生存時間を設定する、および該生存時間を延長する生存時間管理手段をさらに有することも好ましい。
【００１８】
上記目的を実現するため本発明による移動端末は、上記に記載の固定局と通信する移動端末であって、優先度の高い固定局をｎ個（ｎは正の整数）記述した位置レコードを移動端末毎に持つＭＴ位置管理テーブルを蓄積するＭＴ位置管理テーブル蓄積手段と、前記移動端末が前記固定局に接続する毎に更新する接続履歴を蓄積する接続履歴蓄積手段と、前記接続履歴から、優先度の高い固定局をｎ個（ｎは正の整数）選択して、自身の位置レコード作成する、および前記固定局から送信される位置レコードにより前記ＭＴ位置管理テーブルを更新するＭＴ位置管理テーブル生成更新手段と、前記移動端末が前記固定局に接続した際に、前記固定局へ前記ＭＴ位置管理テーブルを送信するＭＴ位置管理テーブル送信手段とを有する。
【００１９】
また、前記ＭＴ位置管理テーブル生成更新手段は、生存時間を超え、かつ自身の位置レコードでない位置レコードを削除する機能をさらに有することも好ましい。
【００２０】
上記目的を実現するため本発明によるプログラムは、上記に記載の手段により固定局を機能させる。
【００２１】
上記目的を実現するため本発明によるプログラムは、上記に記載の手段により移動端末を機能させる。
【発明の効果】
【００２２】
ＭＬＴ作成機能とＭＬＴ更新機能によって、ＭＬＴをＭＴ毎に分割し、レコード毎に更新時間、生存時間を設定することで、送信の必要性の高い位置レコードのみをＭＴへコピーするといった制御が可能となり、ＭＴストレージのＭＬＴによる使用量を低減することが可能となる。
【００２３】
また、ＭＬＴ生存時間設定・管理機能によって生存時間を設定することで、送受信確認の困難なＤＴＮ環境においても、ＳＴ間でＭＬＴの同期を取るために、常時ＭＴのストレージを占有させなくてすむ。
【００２４】
また、ＭＬＴ生存時間の延長機能によって、各ＭＴ位置レコードの配布の必要性を判定することが可能である。具体的には、ＳＴ側にて更新されたあるＭＴの位置レコードは生存時間が延長されることで、結果として今後、同レコードが周辺のＳＴに配布される可能性がさらに高くなる。一方、ＳＴ側にて更新の必要性のない位置レコードは、既にＳＴが持っているレコードであり、周辺へも配布されている可能性が高いため、生存時間を延長させず周辺への配布の必要性を低減させることができる。
【発明を実施するための最良の形態】
【００２５】
本発明を実施するための最良の形態の移動端末位置管理方法について、以下では図面を用いて詳細に説明する。
【００２６】
本実施形態では、固定局（ＳＴ）、移動端末（ＭＴ）は、ＭＴ位置管理テーブル（ＭＬＴ）に関して以下の機能を有する。
（１）ＭＬＴ作成機能（ＭＴ）
（２）ＭＬＴ更新機能（ＭＴ、ＳＴ）
（３）ＭＬＴ生存時間設定・管理機能（ＭＴ、ＳＴ）
（４）ＭＬＴ生存時間の延長機能（ＳＴ）
各機能の詳細を、以下に説明する。
【００２７】
（１）ＭＬＴ作成機能
ＭＴのみが有する機能である。ＭＴはＳＴとの接続履歴データを保持しておき、そのうち、過去Ｎ回（Ｎは正の整数）の接続から、自身が優先的に接続する固定局を順にｎ個（ｎは正の整数）選択し、自身の位置レコードを作成する。ＭＬＴは、この位置レコードを行として持つ。図１は、本実施形態におけるＭＬＴの一例を示す。本図では、ｎ＝５になっており、ＭＴは最大５個のＳＴを宛先候補ＳＴとして有している。この宛先候補ＳＴは優先度の高い順に整列して記述されている。この優先度の例として、接続頻度がある。なお、最初、自身の情報しか持たないため、ＭＬＴは自身の位置レコードのみから構成されている。
【００２８】
ＭＴがＳＴに接続したとき、ＭＴは接続履歴データを更新し、更新したデータから自身の仮位置レコードを作成し、既に持っているＭＬＴ内の自身の位置レコードと比較する。変更がある場合は仮位置レコードを上書きし、同レコードの更新時間欄に現在日時を記入する。
【００２９】
（２）ＭＬＴ更新機能
ＭＴとＳＴが有する機能である。ＭＴがＳＴに接続したとき、転送データ交換セッション前に、ＭＬＴの送付が行われる。ＭＴは自身の保持するＭＬＴをＳＴに送信する。ＳＴは受け取ったＭＬＴの各ＭＴの位置レコードと、自身が保持するＭＬＴを比較する。ＳＴが有していない位置レコードがあった場合は、このデータを挿入し、さらに接続ＭＴから受け取ったレコードの更新時間が新しい場合は、このデータを上書きする。一方、ＳＴ側の更新時間が新しい場合は、ＳＴ側の位置レコードをＭＴへ送信する。また、ＭＴが有していない位置レコードをＳＴが有していた場合、この位置レコードもＭＴへ送信する。
【００３０】
ＭＴはＳＴから送付されるＭＬＴの更新分（更新されるＭＴの位置レコード）を受け取り、自身が保持するＭＬＴ内のデータを上書きする。
【００３１】
（３）ＭＬＴ生存時間設定・管理機能
ＭＴとＳＴが有する機能である。ＭＬＴの各ＭＴの位置レコードは、生存時間を記述する列を有する。この生存時間は、ＭＴ内で位置レコードが生成・更新されたタイミング、或いは生成・更新後、最初にＳＴにコピーされるタイミングから、予め設定された時間として記述される。図１の例では、生存時間として日時時刻が記述されているが、生存時間は日時時刻である必要はなく、例えば、更新時間からの経過時間として記述することも可能である。
【００３２】
ＭＴは内部に時刻計測機能を保持しており、生存時間を経過した位置レコードを削除する。またＭＴに時刻計測機能が無い場合には、ＭＴがＳＴに接続したとき、ＭＴがＭＬＴの全レコードをＳＴに送付し、ＳＴが上記の判断を行って、その結果をＭＴに送付し、ＭＴがＭＴのストレージから同レコードを削除する。但し、ここでＭＴ自身に関する位置レコードの場合は、削除せずにＭＴ内に保持しておく。
【００３３】
また、ＭＴ−ＳＴ接続時において、上記のＭＬＴ更新手順でＳＴからＭＴにＳＴの保持するＭＬＴをコピーする際に、現在時刻が生存時間を越えたレコードに関しては、ＭＴへコピーを行わない。
【００３４】
なお、ＳＴ−ＭＴ間での位置レコードの更新時間比較にて両データの更新時間が同じであっても、生存時間欄を比較して、生存時間に相違があった場合には、生存時間が長い方を他方へ上書きすることとする。
【００３５】
（４）ＭＬＴ生存時間の延長機能
ＳＴのみが有する機能である。ＳＴは、ＭＬＴ更新手順のＭＬＴ更新セッション（制御データ送信セッション）において、ＳＴ側の位置レコードが接続ＭＴの位置レコードによって更新される場合に、そのレコードの生存時間を延長する。その手順は更新されたレコードの生存時間を、現在時刻から予め設定された時間後に変更して保存し、さらに接続ＭＴ側の該当位置レコードも更新された本レコードで上書きする。
【００３６】
ここで、設定される生存時間、及び延長される時間の長さは、ＭＴのＳＴ間を往来する時間に比べ、十分長いものとする。
【００３７】
このように作成されたＭＬＴを使用して、ＳＴは接続されたＭＴにデータを送信するかどうかを判断する。この判断として、例えば、
（Ａ）データの宛先ＳＴが接続されたＭＴの宛先候補ＳＴに含まれる。
（Ｂ）自分より宛先ＳＴに近いＳＴが接続されたＭＴの宛先ＳＴに含まれる。
を使用することができる。
【００３８】
図１の例で、（Ａ）の判断では、ＭＴ００１が接続した場合、データの宛先がＳＴ００１、ＳＴ００２、ＳＴ００３のいずれかを含むデータはＭＴ００１に転送される。
【００３９】
以下に、ＭＬＴ更新機能、ＭＬＴ生存時間設定・管理機能、及びＭＬＴ生存時間の延長機能の具体例を以下に示す。図２は、接続前及び接続後のＭＴ及びＳＴのＭＬＴを示す。
【００４０】
本実施例は、ＭＴであるＭＴ００１が、ＳＴであるＳＴ００２に接続し、ＭＴ００１のＭＬＴ＿Ａ０、ＳＴ００２のＭＬＴ＿Ｂ０がそれぞれ、ＭＬＴ＿Ａ１、ＭＬＴ＿Ｂ１に更新される。この時、ＭＬＴの各ＭＴの位置レコードは以下のように処理される。
（１）ＭＴ００３に関する位置レコードが、ＭＬＴ＿Ａ０側にのみ存在する場合、ＳＴ側にＭＬＴ＿Ａ０のデータをコピーする。生存時間は現在時刻Ｔ００から一定時間（α）加算された時間としてＭＬＴ＿Ｂ１に記録される。これに合わせて、ＭＬＴ＿Ａ１側の位置レコードの生存時間も同じ時間（Ｔ００＋α）へ延長される。
（２）ＭＬＴ＿Ｂ０のＭＴ００４に関する位置レコードの更新時間が、ＭＬＴ＿Ａ０のそれより新しく、かつ生存時間が現在時刻よりも新しい場合（ｔ４１＜Ｔ４１  ａｎｄ  Ｔ００＜Ｔ４１）、ＭＬＴ＿Ｂ０側の位置レコードをＭＬＴ＿Ａ０へ上書きする。この時の生存時間は、ＭＬＴ＿Ｂ０側の値Ｔ４２となる。
（３）ＭＴ００６に関する位置レコードが、ＭＬＴ＿Ｂ０側にのみ存在し、かつその更新時間が現在時刻よりも新しい場合（Ｔ６１＞Ｔ００）は、ＭＬＴ＿Ｂ０側の位置レコードをＭＬＴ＿Ａ０側へコピーする。生存時間はＭＬＴ＿Ｂ０側の値Ｔ６２となる。
（４）ＭＬＴ＿Ｂ０のＭＴ００７に関する位置レコードの更新時間が、ＭＬＴ＿Ａ０のそれより新しく、かつ生存時間が現在時刻よる古い場合（ｔ７１＜Ｔ７１  ａｎｄ  Ｔ７２＜Ｔ００）、ＭＬＴ＿Ａ０側からＭＴ００７に関する位置レコードを削除する。
（５）ＭＬＴ＿Ａ０のＭＴ００１に関する位置レコードの更新時間が、ＭＬＴ＿Ｂ０のそれより新しい場合（ｔ１１＞Ｔ１１）、ＭＬＴ＿Ａ０側の位置レコードをＭＬＴ＿Ｂ０へ上書きする。更新時間はｔ１１となり、生存時間は現在時刻Ｔ００から一定時間（α）加算された時間としてＭＬＴ＿Ｂ１に記録される。ＭＬＴ＿Ａ０側に関してはＭＴ００１は自身の位置レコードであるため、生存時間が存在せず、永久にＭＴ００１内に保持するものとする。
【００４１】
図３は位置レコードの更新・生存時間延長プロセスのフローチャートを示す。本図は、同じＭＴに関する位置レコードが、ＭＴおよびＳＴの両方に存在する場合、位置レコードを比較して更新する際の処理を示している。本図のなかで、ｒ１、Ｒ１はそれぞれＭＴ、ＳＴの位置レコードを示し、ｔ１１、Ｔ１１はそれぞれＭＴ、ＳＴの位置レコードの更新時間を示し、ｔ１２、Ｔ１２はそれぞれＭＴ、ＳＴの位置レコードの生存時間を示す。
【００４２】
図４は、本発明における中継移動端末及び中継固定局の機能構成図である。
【００４３】
中継固定局１は、データ送信判定部１１と、データ送受信部１２と、転送用データ蓄積部１３と、ＭＴ位置管理テーブル蓄積部１４と、更新処理部１５と、生存時間管理部１６と、ＭＴ位置管理テーブル受信部１７とを有する。これら機能構成部は、中継固定局に搭載されたコンピュータによって実行されるプログラムによっても実現できる。
【００４４】
データ送信判定部１１は、移動端末が接続した際に、送信すべきデータの宛先端末と接続可能性の高い宛先基地局を、接続移動端末の移動範囲に含むか又は近いか否かを判定する。また、この時蓄積されているＭＬＴの中から、接続移動端末に送信する必要のある位置レコードを判定する。
【００４５】
データ送受信部１２は、データ送信判定部１１の判定結果が真である場合、接続移動端末へデータを送信する。また、接続移動端末からデータを受信する。受信されたデータは、転送用データ蓄積部１３に蓄積される。データ送信判定部１１の判定結果に従い、接続移動端末に送信する必要のある位置レコードを送信する。また、生存時間管理部１６から受け取った結果を送信する。
【００４６】
ＭＴ位置管理テーブル蓄積部１４は、ＭＬＴを蓄積する。
【００４７】
更新処理部１５は、ＭＬＴ更新機能を実現し、接続移動端末から受信したＭＬＴとＭＴ位置管理テーブル蓄積部１４内に蓄積されているＭＬＴを比較して、ＭＴ位置管理テーブル蓄積部１４内のＭＬＴを更新する。
【００４８】
生存時間管理部１６は、ＭＬＴ生存時間設定・管理機能及びＭＬＴ生存時間の延長機能を実現する。接続移動端末から受信したＭＬＴと現在時刻を基に、生存時間の設定、延長を行う。また、時刻計測機能が無いＭＴのため、生存時間の判定を行いその結果をデータ送受信部１２に渡す機能も有する。
【００４９】
ＭＴ位置管理テーブル受信部１７は、移動端末が中継固定局に接続した際に、移動端末からＭＬＴを受信する。このＭＬＴは、ＭＴ位置管理テーブル蓄積部１４へ通知され、ＭＬＴが更新される。
【００５０】
中継移動端末２は、転送データ選択部２１と、データ送受信部２２と、転送用データ蓄積部２３と、ＭＴ位置管理テーブル蓄積部２４と、ＭＴ位置管理テーブル生成更新部２５と、接続履歴蓄積部２６と、ＭＴ位置管理テーブル送信部２７とを有する。これら機能構成部は、中継移動端末に搭載されたコンピュータによって実行されるプログラムによっても実現できる。
【００５１】
転送データ選択部２１は、固定局と接続した際に、その固定局に送信するデータを判定する。
【００５２】
データ送受信部２２は、転送データ選択部２１によって判定されたデータを、接続した固定局へ送信する。また、固定局からデータを受信する。受信されたデータは、転送データ蓄積部２３またはＭＴ位置管理テーブル蓄積部２４に蓄積される。
【００５３】
ＭＴ位置管理テーブル蓄積部２４は、ＭＬＴを蓄積する。
【００５４】
ＭＴ位置管理テーブル生成更新部２５は、ＭＬＴ作成機能、ＭＬＴ更新機能及びＭＬＴ生存時間設定・管理機能を実現する。接続履歴蓄積部２６からの情報によりＭＬＴを作成し、データ送受信部２２から受信される固定局のＭＬＴからＭＬＴを更新し、さらに現在時刻、または固定局からの情報により生存時間が経過した位置レコードを削除する。
【００５５】
接続履歴蓄積部２６は、移動端末が固定局に接続する毎に、その固定局を示すＩＤを蓄積する。
【００５６】
ＭＴ位置管理テーブル送信部２７は、移動端末が中継固定局に接続した際に、固定局へＭＬＴを送信する。
【００５７】
また、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００５８】
【図１】本実施形態におけるＭＬＴの一例を示す。
【図２】接続前及び接続後のＭＴ及びＳＴのＭＬＴを示す。
【図３】ＭＬＴの更新・生存時間延長プロセスのフローチャートを示す。
【図４】本発明における中継移動端末及び中継固定局の機能構成図である。
【符号の説明】
【００５９】
１  中継固定局
１１  データ送信判定部
１２  データ送受信部
１３  転送用データ蓄積部
１４  ＭＴ位置管理テーブル蓄積部
１５  更新処理部
１６  生存時間管理部
１７  ＭＴ位置管理テーブル受信部
２  中継移動端末
２１  転送データ選択部
２２  データ送受信部
２３  転送用データ蓄積部
２４  ＭＴ位置管理テーブル蓄積部
２５  ＭＴ位置管理テーブル生成更新部
２６  接続履歴蓄積部
２７  ＭＴ位置管理テーブル送信部
【図１】
2009055511.tif 000003
【図２】
2009055511.tif 000004
【図３】
2009055511.tif 000005
【図４】
2009055511.tif 000006